(57)【要約】  本出願の実施例は、参照信号の構成における柔軟性を向上させることができる無線通信の方法および機器を提供する。前記方法は、端末は、参照信号リソースの時間領域リソース構成情報を受信することと、前記端末は、受信した前記時間領域リソース構成情報に従って、前記参照信号リソースの周期および前記参照信号リソースの時間領域リソースオフセットを決定することと、前記端末は、前記周期および前記時間領域リソースオフセットに従って、ターゲットの第１時間領域リソースユニットを決定することと、前記端末は、前記ターゲットの第１時間領域リソースユニットからターゲットの第２時間領域リソースユニットを決定することであって、前記第１時間領域リソースユニットは、少なくとも１つの前記第２時間領域リソースユニットを含むことと、前記端末は、前記ターゲットの第２時間領域リソースユニット内の参照信号リソースで参照信号を送信または受信し、または、前記ターゲットの第２時間領域リソースユニット内の参照信号リソースでパンクチャリング処理またはレートマッチングを実行することとを含む。
2021502727.tif 000002
【特許請求の範囲】
【請求項１】
無線通信の方法であって、
端末は、参照信号リソースの時間領域リソース構成情報を受信することと、
前記端末は、受信した前記時間領域リソース構成情報に従って、前記参照信号リソースの周期および前記参照信号リソースの時間領域リソースオフセットを決定することと、
前記端末は、前記周期および前記時間領域リソースオフセットに従って、ターゲットの第１時間領域リソースユニットを決定することと、
前記端末は、前記ターゲットの第１時間領域リソースユニットからターゲットの第２時間領域リソースユニットを決定することであって、前記第１時間領域リソースユニットは、少なくとも１つの前記第２時間領域リソースユニットを含むことと、
前記端末は、前記ターゲットの第２時間領域リソースユニット内の参照信号リソースで参照信号を送信または受信し、または、前記端末は、前記ターゲットの第２時間領域リソースユニット内の参照信号リソースでパンクチャリング処理またはレートマッチングを実行することとを含むことを特徴とする、前記無線通信の方法。
【請求項２】
前記端末は、受信した前記時間領域リソース構成情報に従って、前記参照信号リソースの周期および前記参照信号リソースの時間領域リソースオフセットを決定することは、
前記端末は、受信した前記時間領域リソース構成情報、および第１サブキャリア間隔に従って、前記周期および前記時間領域リソースオフセットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含むことを特徴とする、
請求項１に記載の無線通信の方法。
【請求項３】
前記端末は、受信した前記時間領域リソース構成情報、および第１サブキャリア間隔に従って、前記周期および前記時間領域リソースオフセットを決定することは、
前記端末は、前記第１サブキャリア間隔に従って、少なくとも１つのマッピング関係テーブルから、使用されるマッピング関係テーブルを決定することであって、前記マッピング関係テーブルは、少なくとも１つの時間領域リソース構成情報と、少なくとも１つの周期および少なくとも１つの時間領域リソースオフセットとの間の対応関係を表すために使用されることと、
前記端末は、受信した前記時間領域リソース構成情報に従って、決定された前記マッピング関係テーブルから、使用される前記周期と前記時間領域リソースオフセットを決定することとを含むことを特徴とする、
請求項２に記載の無線通信の方法。
【請求項４】
前記端末は、前記周期および前記時間領域リソースオフセットに従って、ターゲットの第１時間領域リソースユニットを決定することは、
前記端末は、前記周期と時間領域リソースオフセット、および第１サブキャリア間隔に従って、前記ターゲットの第１時間領域リソースユニットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含むことを特徴とする、
請求項１ないし３のいずれか一項に記載の無線通信の方法。
【請求項５】
前記端末は、前記周期と時間領域リソースオフセット、および第１サブキャリア間隔に従って、前記ターゲットの第１時間領域リソースユニットを決定することは、
前記端末は、前記周期、および前記第１サブキャリア間隔に従って、単一の周期に含まれる第１時間領域リソースユニットの数Ｎを決定することと、
前記数Ｎ、および前記時間領域リソースオフセットに従って、前記ターゲットの第１時間領域リソースユニットを決定することとを含むことを特徴とする、
請求項４に記載の無線通信の方法。
【請求項６】
前記端末は、前記周期と時間領域リソースオフセット、および第１サブキャリア間隔に従って、前記ターゲットの第１時間領域リソースユニットを決定することは、
前記端末は、前記時間領域リソースオフセット、および前記第１サブキャリア間隔に従って、前記第１サブキャリア間隔に対応する時間領域リソースオフセットを決定することと、
前記端末は、前記第１サブキャリア間隔に対応する時間領域リソースオフセット、および前記周期に従って、前記ターゲットの第１時間領域リソースユニットを決定することとを含むことを特徴とする、
請求項４または５に記載の無線通信の方法。
【請求項７】
前記端末は、前記周期および前記時間領域リソースオフセットに従って、ターゲットの第１時間領域リソースユニットを決定することは、
前記時間領域リソースオフセットによって表される第１時間領域リソースユニットは、前記参照信号リソースが位置する最初の第１時間領域リソースユニットであり、前記端末は、前記周期を周期とすることに応じて、前記ターゲットの第１時間領域リソースユニットを決定することを含むことを特徴とする、
請求項１ないし６のいずれか一項に記載の無線通信の方法。
【請求項８】
前記端末は、前記周期および前記時間領域リソースオフセットに従って、ターゲットの第１時間領域リソースユニットを決定することは、
前記端末は、前記周期および前記時間領域リソースユニットに従って、初期ターゲットの第１時間領域リソースユニットを決定することと、
前記端末は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定することとを含むことを特徴とする、
請求項１ないし７のいずれか一項に記載の無線通信の方法。
【請求項９】
前記端末は、前記初期ターゲットの第１時間領域リソースユニットとは異なる前記ターゲットの第１時間領域リソースユニットを決定することは、
現在の周期以外の他の周期から前記ターゲットの第１時間領域リソースユニットを決定すること、または、
前記初期ターゲットの第１時間領域リソースユニットに最も近い、参照信号を伝送するためのリソースを含む第１時間領域リソースユニットを前記ターゲットの第１時間領域リソースユニットとして決定すること、または、
前記初期ターゲットの第１時間領域リソースユニットの後に最も近い、参照信号を伝送するためのリソースを含む第１時間領域リソースユニットを前記ターゲットの第１時間領域リソースユニットとして決定することを含むことを特徴とする、
請求項８に記載の無線通信の方法。
【請求項１０】
前記端末は、前記ターゲットの第１時間領域リソースユニットに従って、ターゲットの第２時間領域リソースユニットを決定することは、
前記端末は、第１サブキャリア間隔に従って、前記第１時間領域リソースユニットに含まれる第２時間領域リソースユニットの数を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることと、
前記数に従って、前記ターゲットの第２時間領域リソースユニットを決定することとを含むことを特徴とする、
請求項１ないし９のいずれか一項に記載の無線通信の方法。
【請求項１１】
前記端末は、第１サブキャリア間隔に従って、前記第１時間領域リソースユニットに含まれる第２時間領域リソースユニットの数を決定することは、
前記第１サブキャリア間隔がＮ  ｋＨｚである場合、Ｎ／１５によって得られた値を前記第１時間領域リソースユニットに含まれる第２時間領域リソースユニットの数として決定することを含むことを特徴とする、
請求項１０に記載の無線通信の方法。
【請求項１２】
前記端末は、前記ターゲットの第１時間領域リソースユニットに従って、ターゲットの第２時間領域リソースユニットを決定することは、
前記端末は、ネットワーク側によって指示される第２時間領域リソースユニット構成情報に従って、ターゲットの第１時間領域リソースユニットから前記ターゲットの第２時間領域リソースユニットを決定することを含むことを特徴とする、
請求項１ないし１１のいずれか一項に記載の無線通信の方法。
【請求項１３】
前記端末は、前記ターゲットの第１時間領域リソースユニットに従って、ターゲットの第２時間領域リソースユニットを決定することは、
前記端末は、プリセットのルールに従って、ターゲットの第１時間領域リソースユニットからターゲットの第２時間領域リソースユニットを決定することを含むことを特徴とする、
請求項１ないし１１のいずれか一項に記載の無線通信の方法。
【請求項１４】
前記端末は、プリセットのルールに従って、ターゲットの第１時間領域リソースユニットからターゲットの第２時間領域リソースユニットを決定することは、
前記端末は、前記ターゲットの第１時間領域リソースユニットにおいて参照信号を伝送するためのリソースを含む最初の第２時間領域リソースユニットを前記ターゲットの第２時間領域リソースユニットとして決定することを含むことを特徴とする、
請求項１３に記載の無線通信の方法。
【請求項１５】
前記端末は、プリセットのルールに従って、ターゲットの第１時間領域リソースユニットからターゲットの第２時間領域リソースユニットを決定することは、
前記端末は、前記参照信号リソースのリソース識別子ＩＤまたは前記参照信号リソースが位置するリソースグループのグループＩＤに従って、前記ターゲットの第１時間領域リソースユニットからターゲットの第２時間領域リソースユニットを決定することを含むことを特徴とする、
請求項１３に記載の無線通信の方法。
【請求項１６】
前記端末は、前記ターゲットの第１時間領域リソースユニットからターゲットの第２時間領域リソースユニットを決定することは、
ターゲットの第１時間領域リソースユニットから初期ターゲットの第２時間領域リソースユニットを決定することと、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定することとを含むことを特徴とする、
請求項１ないし１５のいずれか一項に記載の無線通信の方法。
【請求項１７】
前記ターゲットの第１時間領域リソースユニットから、前記初期ターゲットの第２時間領域リソースユニットとは異なるターゲットの第２時間領域リソースユニットを決定することは、
前記初期ターゲットの第２時間領域リソースユニットに最も近い、参照信号を伝送するためのリソースを含む第２時間領域リソースユニットを前記ターゲットの第２時間領域リソースユニットとして決定すること、または、
前記初期ターゲットの第２時間領域リソースニットの後に最も近い、参照信号を伝送するためのリソースを含む第２時間領域リソースユニットを前記ターゲットの第２時間領域リソースユニットとして決定することを含むことを特徴とする、
請求項１６に記載の無線通信の方法。
【請求項１８】
前記端末は、前記ターゲットの第１時間領域リソースユニットからターゲットの第２時間領域リソースユニットを決定することは、
前記端末は、現在の周期によって決定されたターゲットの第１時間領域リソースユニットで決定したターゲットの第２時間領域リソースユニットが参照信号を伝送するためのリソースを含まない場合、他の前記周期によって決定されたターゲットの第１時間領域リソースユニットからターゲットの第２時間領域リソースユニットを決定することを含むことを特徴とする、
請求項１ないし１６のいずれか一項に記載の無線通信の方法。
【請求項１９】
端末は、参照信号リソースの時間領域リソース構成情報を受信することは、
前記端末は、ネットワーク機器が無線リソース制御（ＲＲＣ）シグナリングによって送信した前記時間領域リソース構成情報を受信することを含むことを特徴とする、
請求項１ないし１８のいずれか一項に記載の無線通信の方法。
【請求項２０】
前記周期および時間領域リソースのオフセット値は、第１時間領域リソースユニットを単位とすることを特徴とする、
請求項１ないし１９のいずれか一項に記載の無線通信の方法。
【請求項２１】
前記第１時間領域リソースユニットは、サブフレームまたはタイムスロットであることを特徴とする、
請求項１ないし２０のいずれか一項に記載の無線通信の方法。
【請求項２２】
前記第２時間領域リソースは、タイムスロットまたはミニタイムスロットまたは直交周波数分割多重（ＯＦＤＭ）シンボルであることを特徴とする、
請求項１ないし２１のいずれか一項に記載の無線通信の方法。
【請求項２３】
前記参照信号は、サウンディング参照信号またはチャネル状態情報参照信号（ＣＳＩ−ＲＳ）であることを特徴とする、
請求項１ないし２２のいずれか一項に記載の無線通信の方法。
【請求項２４】
無線通信の方法であって、
ネットワーク機器は、参照信号リソースの周期および前記参照信号リソースの時間領域リソースオフセットを決定することと、
前記ネットワーク機器は、前記参照信号リソースの時間領域リソース構成情報を端末に送信することと、
前記ネットワーク機器は、前記周期および前記時間領域リソースオフセットに従って、ターゲットの第１時間領域リソースユニットを決定することと、
前記ネットワーク機器は、前記ターゲットの第１時間領域リソースユニットからターゲットの第２時間領域リソースユニットを決定することであって、前記第１時間領域リソースユニットは、少なくとも１つの前記第２時間領域リソースユニットを含むことと、
前記ネットワーク機器は、前記ターゲットの第２時間領域リソースユニット内の参照信号リソースで参照信号を受信または送信し、または、前記ネットワーク機器は、前記ターゲットの第２時間領域リソースユニット内の参照信号リソースで信号に対してレートマッチングまたはパンクチャリング処理を実行することとを含むことを特徴とする、前記無線通信の方法。
【請求項２５】
前記ネットワーク機器は、前記参照信号リソースの時間領域リソース構成情報を端末に送信する前に、前記方法は、
前記ネットワーク機器は、決定された前記周期と前記時間領域リソースオフセット、および第１サブキャリア間隔に従って、前記時間領域リソース構成情報を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることをさらに含むことを特徴とする、
請求項２４に記載の無線通信の方法。
【請求項２６】
前記ネットワーク機器は、決定された前記周期と前記時間領域リソースオフセット、および第１サブキャリア間隔に従って、前記時間領域リソース構成情報を決定することは、
前記ネットワーク機器は、前記第１サブキャリア間隔に従って、少なくとも１つのマッピング関係テーブルから、使用されるマッピング関係テーブルを決定することであって、前記マッピング関係テーブルは、少なくとも１つの時間領域リソース構成情報と、少なくとも１つの周期および少なくとも１つの時間領域リソースオフセットとの間の対応関係を表すために使用されることと、
前記ネットワーク機器は、決定された前記周期および前記時間領域リソースオフセットに従って、決定された前記マッピング関係テーブルから前記時間領域リソース構成情報を決定することとを含むことを特徴とする、
請求項２５に記載の無線通信の方法。
【請求項２７】
前記ネットワーク機器は、前記周期および前記時間領域リソースオフセットに従って、ターゲットの第１時間領域リソースユニットを決定することは、
前記ネットワーク機器は、前記周期と時間領域リソースオフセット、および第１サブキャリア間隔に従って、前記ターゲットの第１時間領域リソースユニットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含むことを特徴とする、
請求項２４ないし２６のいずれか一項に記載の無線通信の方法。
【請求項２８】
前記ネットワーク機器は、前記周期と時間領域リソースオフセット、および第１サブキャリア間隔に従って、前記ターゲットの第１時間領域リソースユニットを決定することは、
前記ネットワーク機器は、前記周期、および前記第１サブキャリア間隔に従って、単一の周期に含まれる第１時間領域リソースユニットの数Ｎを決定することと、
前記数Ｎ、および前記時間領域リソースオフセットに従って、前記ターゲットの第１時間領域リソースユニットを決定することとを含むことを特徴とする、
請求項２７に記載の無線通信の方法。
【請求項２９】
前記ネットワーク機器は、前記周期と時間領域リソースオフセット、および第１サブキャリア間隔に従って、前記ターゲットの第１時間領域リソースユニットを決定することは、
前記ネットワーク機器は、前記時間領域リソースオフセット、および前記第１サブキャリア間隔に従って、前記第１サブキャリア間隔に対応する時間領域リソースオフセットを決定することと、
前記ネットワーク機器は、前記第１サブキャリア間隔に対応する時間領域リソースオフセット、および前記周期に従って、前記ターゲットの第１時間領域リソースユニットを決定することとを含むことを特徴とする、
請求項２７または２８に記載の無線通信の方法。
【請求項３０】
前記ネットワーク機器は、前記周期および前記時間領域リソースオフセットに従って、ターゲットの第１時間領域リソースユニットを決定することは、
前記ネットワーク機器は、前記周期および前記時間領域リソースユニットに従って、初期ターゲットの第１時間領域リソースユニットを決定することと、
前記ネットワーク機器は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定することとを含むことを特徴とする、
請求項２４ないし２９のいずれか一項に記載の無線通信の方法。
【請求項３１】
前記ネットワーク機器は、前記ターゲットの第１時間領域リソースユニットに従って、ターゲットの第２時間領域リソースユニットを決定することは、
前記ネットワーク機器は、第１サブキャリア間隔に従って、前記第１時間領域リソースユニットに含まれる第２時間領域リソースユニットの数を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることと、
前記数に従って、前記ターゲットの第２時間領域リソースユニットを決定することとを含むことを特徴とする、
請求項２４ないし３０のいずれか一項に記載の無線通信の方法。
【請求項３２】
前記ネットワーク機器は、前記ターゲットの第１時間領域リソースユニットからターゲットの第２時間領域リソースユニットを決定することは、
ターゲットの第１時間領域リソースユニットから初期ターゲットの第２時間領域リソースユニットを決定することと、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定することとを含むことを特徴とする、
請求項２４ないし３１のいずれか一項に記載の無線通信の方法。
【請求項３３】
端末であって、
通信ユニットおよび処理ユニットを含み、
前記通信ユニットは、参照信号リソースの時間領域リソース構成情報を受信するように構成され、
前記処理ユニットは、受信した前記時間領域リソース構成情報に従って、前記参照信号リソースの周期および前記参照信号リソースの時間領域リソースオフセットを決定し、前記周期および前記時間領域リソースオフセットに従って、ターゲットの第１時間領域リソースユニットを決定し、前記ターゲットの第１時間領域リソースユニットからターゲットの第２時間領域リソースユニットを決定するように構成され、前記第１時間領域リソースユニットは少なくとも１つの前記第２時間領域リソースユニットを含み、
前記通信ユニットは、さらに、前記端末が前記ターゲットの第２時間領域リソースユニット内の参照信号リソースで参照信号を送信または受信するように構成され、または、前記処理ユニットは、さらに、前記ターゲットの第２時間領域リソースユニット内の参照信号リソースでパンクチャリング処理またはレートマッチングを実行するように構成されることを特徴とする、前記端末。
【請求項３４】
前記処理ユニットは、さらに、
受信した前記時間領域リソース構成情報、および第１サブキャリア間隔に従って、前記周期および前記時間領域リソースオフセットを決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを特徴とする、
請求項３３に記載の端末。
【請求項３５】
前記処理ユニットは、さらに、
前記第１サブキャリア間隔に従って、少なくとも１つのマッピング関係テーブルから、使用されるマッピング関係テーブルを決定するように構成され、前記マッピング関係テーブルは、少なくとも１つの時間領域リソース構成情報と、少なくとも１つの周期および少なくとも１つの時間領域リソースオフセットとの間の対応関係を表すために使用されることを特徴とする、
請求項３４に記載の端末。
【請求項３６】
前記処理ユニットは、さらに、
前記周期と時間領域リソースオフセット、および第１サブキャリア間隔に従って、前記ターゲットの第１時間領域リソースユニットを決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを特徴とする、
請求項３３ないし３５のいずれか一項に記載の端末。
【請求項３７】
前記処理ユニットは、さらに、
前記周期、および前記第１サブキャリア間隔に従って、単一の周期に含まれる第１時間領域リソースユニットの数Ｎを決定し、
前記数Ｎ、および前記時間領域リソースオフセットに従って、前記ターゲットの第１時間領域リソースユニットを決定するように構成されることを特徴とする、
請求項３６に記載の端末。
【請求項３８】
前記処理ユニットは、さらに、
前記時間領域リソースオフセット、および前記第１サブキャリア間隔に従って、前記第１サブキャリア間隔に対応する時間領域リソースオフセットを決定し、
前記第１サブキャリア間隔に対応する時間領域リソースオフセット、および前記周期に従って、前記ターゲットの第１時間領域リソースユニットを決定するように構成されることを特徴とする、
請求項３６または３７に記載の端末。
【請求項３９】
前記処理ユニットは、さらに、
前記時間領域リソースオフセットによって表される第１時間領域リソースユニットは、前記参照信号リソースが位置する最初の第１時間領域リソースユニットであり、前記周期を周期とすることに応じて、前記ターゲットの第１時間領域リソースユニットを決定するように構成されることを特徴とする、
請求項３３ないし３８のいずれか一項に記載の端末。
【請求項４０】
前記処理ユニットは、さらに、
前記周期および前記時間領域リソースユニットに従って、初期ターゲットの第１時間領域リソースユニットを決定し、
前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定するように構成されることを特徴とする、
請求項３３ないし３９のいずれか一項に記載の端末。
【請求項４１】
前記処理ユニットは、さらに、
現在の周期以外の他の周期から前記ターゲットの第１時間領域リソースユニットを決定し、または、
前記初期ターゲットの第１時間領域リソースユニットに最も近い、参照信号を伝送するためのリソースを含む第１時間領域リソースユニットを前記ターゲットの第１時間領域リソースユニットとして決定し、または、
前記初期ターゲットの第１時間領域リソースユニットの後に最も近い、参照信号を伝送するためのリソースを含む第１時間領域リソースユニットを前記ターゲットの第１時間領域リソースユニットとして決定するように構成されることを特徴とする、
請求項４０に記載の端末。
【請求項４２】
前記処理ユニットは、さらに、
第１サブキャリア間隔に従って、前記第１時間領域リソースユニットに含まれる第２時間領域リソースユニットの数を決定し、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であり、
前記数に従って、前記ターゲットの第２時間領域リソースユニットを決定するように構成されることを特徴とする、
請求項３３ないし４１のいずれか一項に記載の端末。
【請求項４３】
前記処理ユニットは、さらに、
前記第１サブキャリア間隔がＮ  ｋＨｚである場合、Ｎ／１５によって得られた値を前記第１時間領域リソースユニットに含まれる第２時間領域リソースユニットの数として決定するように構成されることを特徴とする、
請求項４２に記載の端末。
【請求項４４】
前記処理ユニットは、さらに、
ネットワーク側によって指示される第２時間領域リソースユニット構成情報に従って、ターゲットの第１時間領域リソースユニットから前記ターゲットの第２時間領域リソースユニットを決定するように構成されることを特徴とする、
請求項３３ないし４３のいずれか一項に記載の端末。
【請求項４５】
前記処理ユニットは、さらに、
プリセットのルールに従って、ターゲットの第１時間領域リソースユニットからターゲットの第２時間領域リソースユニットを決定するように構成されることを特徴とする、
請求項３３ないし４３のいずれか一項に記載の端末。
【請求項４６】
前記処理ユニットは、さらに、
前記ターゲットの第１時間領域リソースユニットにおいて参照信号を伝送するためのリソースを含む最初の第２時間領域リソースユニットを前記ターゲットの第２時間領域リソースユニットとして決定するように構成されることを特徴とする、
請求項４５に記載の端末。
【請求項４７】
前記処理ユニットは、さらに、
前記参照信号リソースのリソース識別子ＩＤまたは前記参照信号リソースが位置するリソースグループのグループＩＤに従って、前記ターゲットの第１時間領域リソースユニットからターゲットの第２時間領域リソースユニットを決定するように構成されることを特徴とする、
請求項４５に記載の端末。
【請求項４８】
前記処理ユニットは、さらに、
ターゲットの第１時間領域リソースユニットから初期ターゲットの第２時間領域リソースユニットを決定し、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定するように構成されることを特徴とする、
請求項３３ないし４７のいずれか一項に記載の端末。
【請求項４９】
前記処理ユニットは、さらに、
前記初期ターゲットの第２時間領域リソースユニットに最も近い、参照信号を伝送するためのリソースを含む第２時間領域リソースユニットを前記ターゲットの第２時間領域リソースユニットとして決定し、または、
前記初期ターゲットの第２時間領域リソースニットの後に最も近い、参照信号を伝送するためのリソースを含む第２時間領域リソースユニットを前記ターゲットの第２時間領域リソースユニットとして決定するように構成されることを特徴とする、
請求項４８に記載の端末。
【請求項５０】
前記処理ユニットは、さらに、
現在の周期によって決定されたターゲットの第１時間領域リソースユニットで決定したターゲットの第２時間領域リソースユニットが参照信号を伝送するためのリソースを含まない場合、他の前記周期によって決定されたターゲットの第１時間領域リソースユニットからターゲットの第２時間領域リソースユニットを決定するように構成されることを特徴とする、
請求項３３ないし４８のいずれか一項に記載の端末。
【請求項５１】
前記処理ユニットは、さらに、
ネットワーク機器が無線リソース制御（ＲＲＣ）シグナリングによって送信した前記時間領域リソース構成情報を受信するように構成されることを特徴とする、
請求項３３ないし５０のいずれか一項に記載の端末。
【請求項５２】
前記周期および時間領域リソースのオフセット値は、第１時間領域リソースユニットを単位とすることを特徴とする、
請求項３３ないし５１のいずれか一項に記載の端末。
【請求項５３】
前記第１時間領域リソースユニットは、サブフレームまたはタイムスロットであることを特徴とする、
請求項３３ないし５２のいずれか一項に記載の端末。
【請求項５４】
前記第２時間領域リソースは、タイムスロットまたはミニタイムスロットまたは直交周波数分割多重（ＯＦＤＭ）シンボルであることを特徴とする、
請求項３３ないし５３のいずれか一項に記載の端末。
【請求項５５】
前記参照信号は、サウンディング参照信号またはチャネル状態情報参照信号（ＣＳＩ−ＲＳ）であることを特徴とする、
請求項３３ないし５４のいずれか一項に記載の端末。
【請求項５６】
ネットワーク機器であって、
処理ユニットおよび通信ユニットを含み、
前記処理ユニットは、参照信号リソースの周期および前記参照信号リソースの時間領域リソースオフセットを決定するように構成され、
前記通信ユニットは、前記参照信号リソースの時間領域リソース構成情報を端末に送信するように構成され、
前記処理ユニットは、さらに、前記周期および前記時間領域リソースオフセットに従って、ターゲットの第１時間領域リソースユニットを決定し、前記ターゲットの第１時間領域リソースユニットからターゲットの第２時間領域リソースユニットを決定するように構成され、前記第１時間領域リソースユニットは少なくとも１つの前記第２時間領域リソースユニットを含み、
前記通信ユニットは、さらに、前記ターゲットの第２時間領域リソースユニット内の参照信号リソースで参照信号を受信または送信するように構成され、または、前記処理ユニットは、さらに、前記ターゲットの第２時間領域リソースユニット内の参照信号リソースで信号に対してレートマッチングまたはパンクチャリング処理を実行するように構成されることを特徴とする、前記ネットワーク機器。
【請求項５７】
前記処理ユニットは、さらに、
決定された前記周期と前記時間領域リソースオフセット、および第１サブキャリア間隔に従って、前記時間領域リソース構成情報を決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを特徴とする、
請求項５６に記載のネットワーク機器。
【請求項５８】
前記処理ユニットは、さらに、
前記第１サブキャリア間隔に従って、少なくとも１つのマッピング関係テーブルから、使用されるマッピング関係テーブルを決定し、前記マッピング関係テーブルは、少なくとも１つの時間領域リソース構成情報と、少なくとも１つの周期および少なくとも１つの時間領域リソースオフセットとの間の対応関係を表し、
決定された前記周期および前記時間領域リソースオフセットに従って、決定された前記マッピング関係テーブルから前記時間領域リソース構成情報を決定するように構成されることを特徴とする、
請求項５７に記載のネットワーク機器。
【請求項５９】
前記処理ユニットは、さらに、
前記周期および時間領域リソースオフセット、および第１サブキャリア間隔に従って、前記ターゲットの第１時間領域リソースユニットを決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを特徴とする、
請求項５６ないし５８のいずれか一項に記載のネットワーク機器。
【請求項６０】
前記処理ユニットは、さらに、
前記周期、および前記第１サブキャリア間隔に従って、単一の周期に含まれる第１時間領域リソースユニットの数Ｎを決定し、
前記数Ｎ、および前記時間領域リソースオフセットに従って、前記ターゲットの第１時間領域リソースユニットを決定するように構成されることを特徴とする、
請求項５９に記載のネットワーク機器。
【請求項６１】
前記処理ユニットは、さらに、
前記時間領域リソースオフセット、および前記第１サブキャリア間隔に従って、前記第１サブキャリア間隔に対応する時間領域リソースオフセットを決定し、
前記第１サブキャリア間隔に対応する時間領域リソースオフセット、および前記周期に従って、前記ターゲットの第１時間領域リソースユニットを決定するように構成されることを特徴とする、
請求項５９または６０に記載のネットワーク機器。
【請求項６２】
前記処理ユニットは、さらに、
前記周期および前記時間領域リソースユニットに従って、初期ターゲットの第１時間領域リソースユニットを決定し、
前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定するように構成されることを特徴とする、
請求項５６ないし６１のいずれか一項に記載のネットワーク機器。
【請求項６３】
前記処理ユニットは、さらに、
第１サブキャリア間隔に従って、前記第１時間領域リソースユニットに含まれる第２時間領域リソースユニットの数を決定し、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であり、
前記数に従って、前記ターゲットの第２時間領域リソースユニットを決定するように構成されることを特徴とする、
請求項５６ないし６２のいずれか一項に記載のネットワーク機器。
【請求項６４】
前記処理ユニットは、さらに、
ターゲットの第１時間領域リソースユニットから初期ターゲットの第２時間領域リソースユニットを決定し、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定するように構成されることを特徴とする、
請求項５６ないし６３のいずれか一項に記載のネットワーク機器。
【発明の詳細な説明】
【技術分野】
【０００１】
本出願は、通信分野に関し、より具体的に、無線通信の方法、端末およびネットワーク機器に関する。
【背景技術】
【０００２】
ロングタームエボリューション（ＬＴＥ：Ｌｏｎｇ  Ｔｅｒｍ  Ｅｖｏｌｕｔｉｏｎ）システムでは、端末装置は、参照信号（例えば、サウンディング参照信号（参照信号：Ｓｏｕｎｄｉｎｇ  Ｒｅｆｅｒｅｎｃｅ  Ｓｉｇｎａｌ）チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送を実行するように構成されてもよい。
【０００３】
ニューラジオ（ＮＲ：Ｎｅｗ  Ｒａｄｉｏ）システムでは、リソース構成の柔軟性に対する要求が高い。
【０００４】
したがって、ＮＲシステムでの参照信号のリソース構成の柔軟性をどのように向上させるかが緊急の問題である。
【発明の概要】
【発明が解決しようとする課題】
【０００５】
本出願の実施例は、参照信号のリソース構成における柔軟性を向上させることができる無線通信の方法および機器を提供する。
【課題を解決するための手段】
【０００６】
第１態様において、無線通信の方法を提供し、前記方法は、
端末は、参照信号リソースの時間領域リソース構成情報を受信することと、
前記端末は、受信した前記時間領域リソース構成情報に従って、前記参照信号リソースの周期および前記参照信号リソースの時間領域リソースオフセットを決定することと、
前記端末は、前記周期および前記時間領域リソースオフセットに従って、ターゲットの第１時間領域リソースユニットを決定することと、
前記端末は、前記ターゲットの第１時間領域リソースユニットからターゲットの第２時間領域リソースユニットを決定することであって、ここで、前記第１時間領域リソースユニットは、少なくとも１つの前記第２時間領域リソースユニットを含むことと、
前記端末は、前記ターゲットの第２時間領域リソースユニット内の参照信号リソースで参照信号を送信または受信し、または、前記端末は、前記ターゲットの第２時間領域リソースユニット内の参照信号リソースでパンクチャリング処理またはレートマッチングを実行することとを含む。
【０００７】
したがって、本出願の実施例において、端末は、受信した時間領域リソース構成情報に従って、参照信号リソースの周期および前記参照信号リソースの時間領域リソースオフセットを決定し、前記端末は、前記周期および前記時間領域リソースオフセットに従って、ターゲットの第１時間領域リソースユニットを決定し、前記端末は、前記ターゲットの第１時間領域リソースユニットからターゲットの第２時間領域リソースユニットを決定し、前記ターゲットの第２時間領域リソースユニット内の参照信号リソースで参照信号を送信または受信し、または、前記ターゲットの第２時間領域リソースユニット内の参照信号リソースでパンクチャリング処理またはレートマッチングを実行する。このため、参照信号のリソース構成の柔軟性を向上させることができる。
【０００８】
第１態様を参照すると、第１態様の可能な実現形態において、前記端末は、受信した前記時間領域リソース構成情報に従って、前記参照信号リソースの周期および前記参照信号リソースの時間領域リソースオフセットを決定することは、
前記端末は、受信した前記時間領域リソース構成情報、および第１サブキャリア間隔に従って、前記周期および前記時間領域リソースオフセットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含む。
【０００９】
第１態様または上記のいずれか１つの可能な実現形態を参照すると、第１態様の別の可能な実現形態において、前記端末は、受信した前記時間領域リソース構成情報、および第１サブキャリア間隔に従って、前記周期および前記時間領域リソースオフセットを決定することは、
前記端末は、前記第１サブキャリア間隔に従って、少なくとも１つのマッピング関係テーブルから、使用されるマッピング関係テーブルを決定することであって、前記マッピング関係テーブルは、少なくとも１つの時間領域リソース構成情報と、少なくとも１つの周期および少なくとも１つの時間領域リソースオフセットとの間の対応関係を表すために使用されることと、
前記端末は、受信した前記時間領域リソース構成情報に従って、決定された前記マッピング関係テーブルから、使用される前記周期と前記時間領域リソースオフセットを決定することとを含む。
【００１０】
第１態様または上記のいずれか１つの可能な実現形態を参照すると、第１態様の別の可能な実現形態において、前記端末は、前記周期および前記時間領域リソースオフセットに従って、ターゲットの第１時間領域リソースユニットを決定することは、
前記端末は、前記周期と時間領域リソースオフセット、および第１サブキャリア間隔に従って、前記ターゲットの第１時間領域リソースユニットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含む。
【００１１】
第１態様または上記のいずれか１つの可能な実現形態を参照すると、第１態様の別の可能な実現形態において、前記端末は、前記周期と時間領域リソースオフセット、および第１サブキャリア間隔に従って、前記ターゲットの第１時間領域リソースユニットを決定することは、
前記端末は、前記周期、および前記第１サブキャリア間隔に従って、単一の周期に含まれる第１時間領域リソースユニットの数Ｎを決定することと、
前記数Ｎ、および前記時間領域リソースオフセットに従って、前記ターゲットの第１時間領域リソースユニットを決定することとを含む。
【００１２】
第１態様または上記のいずれか１つの可能な実現形態を参照すると、第１態様の別の可能な実現形態において、前記端末は、前記周期と前記時間領域リソースオフセット、および第１サブキャリア間隔に従って、前記ターゲットの第１時間領域リソースユニットを決定することは、
前記端末は、前記時間領域リソースオフセット、および前記第１サブキャリア間隔に従って、前記第１サブキャリア間隔に対応する時間領域リソースオフセットを決定することと、
前記端末は、前記第１サブキャリア間隔に対応する時間領域リソースオフセット、および前記周期に従って、前記ターゲットの第１時間領域リソースユニットを決定することとを含む。
【００１３】
第１態様または上記のいずれか１つの可能な実現形態を参照すると、第１態様の別の可能な実現形態において、前記端末は、前記周期および前記時間領域リソースオフセットに従って、ターゲットの第１時間領域リソースユニットを決定することは、
前記時間領域リソースオフセットによって表される第１時間領域リソースユニットは、前記参照信号リソースが位置する最初の第１時間領域リソースユニットであり、前記端末は、前記周期を周期とすることに応じて、前記ターゲットの第１時間領域リソースユニットを決定することを含む。
【００１４】
第１態様または上記のいずれか１つの可能な実現形態を参照すると、第１態様の別の可能な実現形態において、前記端末は、前記周期および前記時間領域リソースオフセットに従って、ターゲットの第１時間領域リソースユニットを決定することは、
前記端末は、前記周期および前記時間領域リソースユニットに従って、初期ターゲットの第１時間領域リソースユニットを決定することと、
前記端末は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定することとを含む。
【００１５】
第１態様または上記のいずれか１つの可能な実現形態を参照すると、第１態様の別の可能な実現形態において、前記端末は、前記初期ターゲットの第１時間領域リソースユニットとは異なる前記ターゲットの第１時間領域リソースユニットを決定することは、
現在の周期以外の他の周期から前記ターゲットの第１時間領域リソースユニットを決定すること、または、
前記初期ターゲットの第１時間領域リソースユニットに最も近い、参照信号を伝送するためのリソースを含む第１時間領域リソースユニットを前記ターゲットの第１時間領域リソースユニットとして決定すること、または、
前記初期ターゲットの第１時間領域リソースユニットの後に最も近い、参照信号を伝送するためのリソースを含む第１時間領域リソースユニットを前記ターゲットの第１時間領域リソースユニットとして決定することを含む。
【００１６】
第１態様または上記のいずれか１つの可能な実現形態を参照すると、第１態様の別の可能な実現形態において、前記端末は、前記ターゲットの第１時間領域リソースユニットに従って、ターゲットの第２時間領域リソースユニットを決定することは、
前記端末は、第１サブキャリア間隔に従って、前記第１時間領域リソースユニットに含まれる第２時間領域リソースユニットの数を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることと、
前記数に従って、前記ターゲットの第２時間領域リソースユニットを決定することとを含む。
【００１７】
第１態様または上記のいずれか１つの可能な実現形態を参照すると、第１態様の別の可能な実現形態において、前記端末は、第１サブキャリア間隔に従って、前記第１時間領域リソースユニットに含まれる第２時間領域リソースユニットの数を決定することは、
前記第１サブキャリア間隔がＮ  ｋＨｚである場合、Ｎ／１５によって得られた値を前記第１時間領域リソースユニットに含まれる第２時間領域リソースユニットの数として決定することを含む。
【００１８】
第１態様または上記のいずれか１つの可能な実現形態を参照すると、第１態様の別の可能な実現形態において、前記端末は、前記ターゲットの第１時間領域リソースユニットに従って、ターゲットの第２時間領域リソースユニットを決定することは、
前記端末は、ネットワーク側によって指示される第２時間領域リソースユニット構成情報に従って、ターゲットの第１時間領域リソースユニットから前記ターゲットの第２時間領域リソースユニットを決定することを含む。
【００１９】
第１態様または上記のいずれか１つの可能な実現形態を参照すると、第１態様の別の可能な実現形態において、前記端末は、前記ターゲットの第１時間領域リソースユニットに従って、ターゲットの第２時間領域リソースユニットを決定することは、
前記端末は、プリセットのルールに従って、ターゲットの第１時間領域リソースユニットからターゲットの第２時間領域リソースユニットを決定することを含む。
【００２０】
第１態様または上記のいずれか１つの可能な実現形態を参照すると、第１態様の別の可能な実現形態において、前記端末は、プリセットのルールに従って、ターゲットの第１時間領域リソースユニットからターゲットの第２時間領域リソースユニットを決定することは、
前記端末は、前記ターゲットの第１時間領域リソースユニットにおいて参照信号を伝送するためのリソースを含む最初の第２時間領域リソースユニットを前記ターゲットの第２時間領域リソースユニットとして決定することを含む。
【００２１】
第１態様または上記のいずれか１つの可能な実現形態を参照すると、第１態様の別の可能な実現形態において、前記端末は、プリセットのルールに従って、ターゲットの第１時間領域リソースユニットからターゲットの第２時間領域リソースユニットを決定することは、
前記端末は、前記参照信号リソースのリソース識別子ＩＤまたは前記参照信号リソースが位置するリソースグループのグループＩＤに従って、前記ターゲットの第１時間領域リソースユニットからターゲットの第２時間領域リソースユニットを決定することを含む。
【００２２】
第１態様または上記のいずれか１つの可能な実現形態を参照すると、第１態様の別の可能な実現形態において、前記端末は、前記ターゲットの第１時間領域リソースユニットからターゲットの第２時間領域リソースユニットを決定することは、
ターゲットの第１時間領域リソースユニットから初期ターゲットの第２時間領域リソースユニットを決定することと、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定することとを含む。
【００２３】
第１態様または上記のいずれか１つの可能な実現形態を参照すると、第１態様の別の可能な実現形態において、前記ターゲットの第１時間領域リソースユニットから、前記初期ターゲットの第２時間領域リソースユニットとは異なるターゲットの第２時間領域リソースユニットを決定することは、
前記初期ターゲットの第２時間領域リソースユニットに最も近い、参照信号を伝送するためのリソースを含む第２時間領域リソースユニットを前記ターゲットの第２時間領域リソースユニットとして決定すること、または、
前記初期ターゲットの第２時間領域リソースニットの後に最も近い、参照信号を伝送するためのリソースを含む第２時間領域リソースユニットを前記ターゲットの第２時間領域リソースユニットとして決定することを含む。
【００２４】
第１態様または上記のいずれか１つの可能な実現形態を参照すると、第１態様の別の可能な実現形態において、前記端末は、前記ターゲットの第１時間領域リソースユニットからターゲットの第２時間領域リソースユニットを決定することは、
前記端末は、現在の周期によって決定されたターゲットの第１時間領域リソースユニットで決定したターゲットの第２時間領域リソースユニットが参照信号を伝送するためのリソースを含まない場合、他の前記周期によって決定されたターゲットの第１時間領域リソースユニットからターゲットの第２時間領域リソースユニットを決定することを含む。
【００２５】
第１態様または上記のいずれか１つの可能な実現形態を参照すると、第１態様の別の可能な実現形態において、端末は、参照信号リソースの時間領域リソース構成情報を受信することは、
前記端末は、ネットワーク機器が無線リソース制御（ＲＲＣ）シグナリングによって送信した前記時間領域リソース構成情報を受信することを含む。
【００２６】
第１態様または上記のいずれか１つの可能な実現形態を参照すると、第１態様の別の可能な実現形態において、前記周期および時間領域リソースのオフセット値は、第１時間領域リソースユニットを単位とする。
【００２７】
第１態様または上記のいずれか１つの可能な実現形態を参照すると、第１態様の別の可能な実現形態において、前記第１時間領域リソースユニットは、サブフレームまたはタイムスロットである。
【００２８】
第１態様または上記のいずれか１つの可能な実現形態を参照すると、第１態様の別の可能な実現形態において、前記第２時間領域リソースは、タイムスロットまたはミニタイムスロットまたは直交周波数分割多重（ＯＦＤＭ）シンボルである。
【００２９】
第１態様または上記のいずれか１つの可能な実現形態を参照すると、第１態様の別の可能な実現形態において、前記参照信号は、サウンディング参照信号またはチャネル状態情報参照信号（ＣＳＩ−ＲＳ）である。
【００３０】
第２態様において、無線通信の方法を提供し、前記方法は、
ネットワーク機器は、参照信号リソースの周期および前記参照信号リソースの時間領域リソースオフセットを決定することと、
前記ネットワーク機器は、前記参照信号リソースの時間領域リソース構成情報を端末に送信することと、
前記ネットワーク機器は、前記周期および前記時間領域リソースオフセットに従って、ターゲットの第１時間領域リソースユニットを決定することと、
前記ネットワーク機器は、前記ターゲットの第１時間領域リソースユニットからターゲットの第２時間領域リソースユニットを決定することであって、前記第１時間領域リソースユニットは、少なくとも１つの前記第２時間領域リソースユニットを含むことと、
前記ネットワーク機器は、前記ターゲットの第２時間領域リソースユニット内の参照信号リソースで参照信号を受信または送信し、または、前記ネットワーク機器は、前記ターゲットの第２時間領域リソースユニット内の参照信号リソースで信号に対してレートマッチングまたはパンクチャリング処理を実行することとを含む。
【００３１】
したがって、本出願の実施例において、ネットワーク機器は、参照信号リソースの周期および前記参照信号リソースの時間領域リソースオフセットを決定し、前記ネットワーク機器は、前記参照信号リソースの時間領域リソース構成情報を端末に送信し、前記周期および前記時間領域リソースオフセットに従って、ターゲットの第１時間領域リソースユニットを決定し、前記ターゲットの第１時間領域リソースユニットからターゲット第２時間領域リソースユニットを決定し、ここで、前記第１時間領域リソースユニットは、少なくとも１つの前記第２時間領域リソースユニットを含み、前記ネットワーク機器は、前記ターゲットの第２時間領域リソースユニット内の参照信号リソースで参照信号を受信または送信し、または、前記ターゲットの第２時間領域リソースユニット内の参照信号リソースで信号に対してレートマッチングまたはパンクチャリング処理を実行する。このため、参照信号のリソース構成の柔軟性を向上させることができる。
【００３２】
第２態様を参照すると、第２態様の可能な実現形態において、前記ネットワーク機器は、前記参照信号リソースの時間領域リソース構成情報を端末に送信する前に、前記方法は、
前記ネットワーク機器は、決定された前記周期と前記時間領域リソースオフセット、および第１サブキャリア間隔に従って、前記時間領域リソース構成情報を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることをさらに含む。
【００３３】
第２態様または上記のいずれか１つの可能な実現形態を参照すると、第２態様の別の可能な実現形態において、前記ネットワーク機器は、決定された前記周期と前記時間領域リソースオフセット、および第１サブキャリア間隔に従って、前記時間領域リソース構成情報を決定することは、
前記ネットワーク機器は、前記第１サブキャリア間隔に従って、少なくとも１つのマッピング関係テーブルから、使用されるマッピング関係テーブルを決定することであって、前記マッピング関係テーブルは、少なくとも１つの時間領域リソース構成情報と、少なくとも１つの周期および少なくとも１つの時間領域リソースオフセットとの間の対応関係を表すために使用されることと、
前記ネットワーク機器は、決定された前記周期および前記時間領域リソースオフセットに従って、決定された前記マッピング関係テーブルから前記時間領域リソース構成情報を決定することとを含む。
【００３４】
第２態様または上記のいずれか１つの可能な実現形態を参照すると、第２態様の別の可能な実現形態において、前記ネットワーク機器は、前記周期および前記時間領域リソースオフセットに従って、ターゲットの第１時間領域リソースユニットを決定することは、
前記ネットワーク機器は、前記周期と時間領域リソースオフセット、および第１サブキャリア間隔に従って、前記ターゲットの第１時間領域リソースユニットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることを含む。
【００３５】
第２態様または上記のいずれか１つの可能な実現形態を参照すると、第２態様の別の可能な実現形態において、前記ネットワーク機器は、前記周期と前記時間領域リソースオフセット、および第１サブキャリア間隔に従って、前記ターゲットの第１時間領域リソースユニットを決定することは、
前記ネットワーク機器は、前記周期、および前記第１サブキャリア間隔に従って、単一の周期に含まれる第１時間領域リソースユニットの数Ｎを決定することと、
前記数Ｎ、および前記時間領域リソースオフセットに従って、前記ターゲットの第１時間領域リソースユニットを決定することとを含む。
【００３６】
第２態様または上記のいずれか１つの可能な実現形態を参照すると、第２態様の別の可能な実現形態において、前記ネットワーク機器は、前記周期と前記時間領域リソースオフセット、および第１サブキャリア間隔に従って、前記ターゲットの第１時間領域リソースユニットを決定することは、
前記ネットワーク機器は、前記時間領域リソースオフセット、および前記第１サブキャリア間隔に従って、前記第１サブキャリア間隔に対応する時間領域リソースオフセットを決定することと、
前記ネットワーク機器は、前記第１サブキャリア間隔に対応する時間領域リソースオフセット、および前記周期に従って、前記ターゲットの第１時間領域リソースユニットを決定することとを含む。
【００３７】
第２態様または上記のいずれか１つの可能な実現形態を参照すると、第２態様の別の可能な実現形態において、前記ネットワーク機器は、前記周期および前記時間領域リソースオフセットに従って、ターゲットの第１時間領域リソースユニットを決定することは、
前記ネットワーク機器は、前記周期および前記時間領域リソースユニットに従って、初期ターゲットの第１時間領域リソースユニットを決定することと、
前記ネットワーク機器は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定することとを含む。
【００３８】
第２態様または上記のいずれか１つの可能な実現形態を参照すると、第２態様の別の可能な実現形態において、前記ネットワーク機器は、前記ターゲットの第１時間領域リソースユニットに従って、ターゲットの第２時間領域リソースユニットを決定することは、
前記ネットワーク機器は、第１サブキャリア間隔に従って、前記第１時間領域リソースユニットに含まれる第２時間領域リソースユニットの数を決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であることと、
前記数に従って、前記ターゲットの第２時間領域リソースユニットを決定することとを含む。
【００３９】
第２態様または上記のいずれか１つの可能な実現形態を参照すると、第２態様の別の可能な実現形態において、前記ネットワーク機器は、前記ターゲットの第１時間領域リソースユニットからターゲットの第２時間領域リソースユニットを決定することは、
ターゲットの第１時間領域リソースユニットから初期ターゲットの第２時間領域リソースユニットを決定することと、
初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定することとを含む。
【００４０】
第３態様において、上記の第１態様または第１態様の任意の可能な実現形態における方法を実行するために使用される端末を提供する。具体的に、前記端末は、上記の第１態様または第１態様の任意の可能な実現形態における方法を実行するための機能モジュールを含む。
【００４１】
第４態様において、上記の第２態様または第２態様の任意の可能な実現形態における方法を実行するために使用されるネットワーク機器を提供する。具体的に、前記ネットワーク機器は、上記の第２態様または第２態様の任意の可能な実現形態における方法を実行するための機能モジュールを含む。
【００４２】
第５態様において、プロセッサ、メモリおよびトランシーバを含む端末を提供する。前記プロセッサ、前記メモリおよび前記トランシーバの間は、内部接続パスを介してお互いに通信し、制御および／またはデータ信号を転送するため、前記端末が上記の第１態様または第１態様の可能な実現形態における方法を実行するようにする。
【００４３】
第６態様において、プロセッサ、メモリおよびトランシーバを含むネットワーク機器を提供する。前記プロセッサは、前記メモリおよび前記トランシーバの間は、内部接続パスを介してお互いに通信し、制御および／またはデータ信号を転送するため、前記ネットワーク機器が上記の第２態様または第２態様の可能な実現形態における方法を実行するようにする。
【００４４】
第７態様において、コンピュータプログラムを記憶するために使用されるコンピュータ読み取り可能な媒体を提供する。前記コンピュータプログラムは、上記のいずれか１つの方法または任意の可能な実現形態における方法を実行するための命令を含む。
【００４５】
第８態様において、コンピュータで実行されると、コンピュータが上記のいずれか１つの方法または任意の可能な実現形態における方法を実行するようにする、命令を含むコンピュータプログラム製品を提供する。
【図面の簡単な説明】
【００４６】
本出願の実施例の技術的解決策をより明確に説明するために、実施例または先行技術の説明で使用される図面を以下に簡単に紹介する。明らかなこととして、以下の説明における図面は、本出願のいくつかの実施例にすぎず、当業者にとって、創造的な努力なしにこれらの図面に従って他の図面を得ることができる。
【図１】本出願の実施例の無線通信システムの模式図である。
【図２】本出願の実施例の無線通信の方法の例示的なフローチャートである。
【図３】本出願の実施例の無線通信の方法の例示的なフローチャートである。
【図４】本出願の実施例の端末の例示的なブロック図である。
【図５】本出願の実施例のネットワーク機器の例示的なブロック図である。
【図６】本出願の実施例のシステムチップの例示的なブロック図である。
【図７】本出願の実施例の通信機器の例示的なブロック図である。
【発明を実施するための形態】
【００４７】
以下、本出願の実施例における図面を参照して、本出願の実施例における技術的解決策を説明するが、説明された実施例は、本出願の実施例の一部であり、全部の実施例ではないことは明らかである。本出願の実施例に基づいて、創造的な努力なしに当業者によって得られる他のすべての実施例は、本出願の保護範囲に含まれる。
【００４８】
本出願の実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなど、様々な通信システムに適用することができる。
【００４９】
図１は、本出願の実施例を適用した無線通信システム１００を示す。
【００５０】
前記無線通信システム１００は、ネットワーク機器１１０を含み得る。
【００５１】
ネットワーク機器１１０は、端末機器と通信する機器であってもよい。ネットワーク機器１１０は、特定の地理的エリアに通信カバレッジを提供することができ、前記カバレッジエリア内に位置する端末機器（例えばＵＥなど）と通信することができる。選択的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００５２】
前記無線通信システム１００は、ネットワーク機器１１０のカバレッジエリア内に位置する少なくとも１つの端末機器１２０をさらに含む。端末機器１２０は、モバイルまたは固定であってもよい。選択的に、端末機器１２０は、アクセス端末、ユーザー機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮの端末機器などであり得る。
【００５３】
選択的に、端末機器１２０間では、装置対装置（Ｄ２Ｄ：Ｄｅｖｉｃｅ  ｔｏ  Ｄｅｖｉｃｅ）通信を実行し得る。
【００５４】
選択的に、５Ｇシステムまたはネットワークは、ニューラジオ（ＮＲ：Ｎｅｗ  Ｒａｄｉｏ）システムまたはネットワークとも呼ばれる。
【００５５】
図１は、１つのネットワーク機器および２つの端末機器を例示的に示し、選択的に、前記無線通信システム１００は、複数のネットワーク機器を含むことができ、各ネットワーク機器のカバレッジ内には、他の数の端末機器を含むことができるが、本出願の実施例はこれに限定されない。
【００５６】
選択的に、前記無線通信システム１００は、ネットワークコントローラ、モバイル管理エンティティなどの他のネットワークエンティティをさらに含むことができるが、本出願の実施例はこれに限定されない。
【００５７】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００５８】
図２は、本出願の実施例の無線通信の方法２００の例示的なフローチャートである。前記方法２００は、図１に示されたシステムに選択的に適用されることができるが、これに限定されない。前記方法２００は、以下のコンテンツの少なくとも一部を含む。
【００５９】
ステップ２１０において、端末は、参照信号リソースの時間領域リソース構成情報を受信する。
【００６０】
選択的に、本出願の実施例で言及される参照信号は、ＳＲＳまたはＣＳＩ−ＲＳであり得る。
【００６１】
選択的に、端末は、ネットワーク機器によって送信される時間領域リソース構成情報を受信し得る。ここで、前記時間領域リソース構成情報は、無線リソース制御（ＲＲＣ：Ｒａｄｉｏ  Ｒｅｓｏｕｒｃｅ  Ｃｏｎｔｒｏｌ）シグナリングで搬送されることができる。もちろん、前記時間領域リソース構成情報は、他のシグナリングで搬送されることができるが、本出願の実施例はこれに対して特に限定しない。
【００６２】
選択的に、本出願の実施例で言及される参照信号リソースは、独立した構成を有する参照信号リソースであり得、各参照信号リソースは、他の参照信号リソースと比較して独立した構成パラメータを有し得、例えば、独立した時間領域リソース構成パラメータ、独立した周波数領域リソース構成パラメータ、独立した参照信号送信周期、独立した参照信号トリガー方法、独立した送信ビーム、または参照信号の送信がトリガーされた場合の独立した参照信号の送信回数などであり得る。
【００６３】
ここで、各参照信号リソースには、他の参照信号リソースと比較して独立した構成パラメータがあることは、各ＳＲＳには、他のＳＲＳと比較して独立した構成パラメータがあること、または、各ＣＳＩ−ＲＳには、他のＣＳＩ−ＲＳと比較して独立した構成パラメータがあることを指し得る。
【００６４】
選択的に、参照信号リソースグループは、少なくとも１つの参照信号リソースを含むことができ、他の参照信号リソースグループと比較して、各参照信号リソースグループは少なくとも１つの独立した構成パラメータを有し、および／または、各参照信号リソースグループは少なくとも１つの共通の構成パラメータを有する。ここで言及されるパラメータは、時間領域リソース構成パラメータ、周波数領域リソース構成パラメータ、参照信号送信周期、参照信号トリガーモード、送信ビーム、または参照信号の送信がトリガーされた場合の参照信号の送信回数などを含み得る。
【００６５】
選択的に、参照信号リソースグループは、グループＩＤを有することができ、グループ内のリソースもリソースＩＤを有することができる。
【００６６】
選択的に、本出願の実施例で言及される参照信号リソースグループは、参照信号リソースセットと呼ばれてもよい。
【００６７】
ステップ２２０において、前記端末は、受信した前記時間領域リソース構成情報に従って、前記参照信号リソースの周期および前記参照信号リソースの時間領域リソースオフセットを決定する。
【００６８】
選択的に、前記周期は、第１時間領域リソースユニットを単位とすることができ、前記第１時間領域リソースユニットは、選択的に、無線フレーム、サブフレーム、タイムスロット、ミニタイムスロットなどであってもよい。
【００６９】
例えば、前記周期は、Ｎ個の第１時間領域リソースユニットとして表されることができ、ここで、Ｎ＝１／ＫまたはＮ＝Ｋであり、Ｋは自然数である。
【００７０】
選択的に、前記時間領域リソースオフセットは、第１時間領域リソースユニットを単位とすることができ、前記第１時間領域リソースユニットは、選択的に、無線フレーム、サブフレーム、タイムスロット、ミニタイムスロットなどであってもよい。
【００７１】
選択的に、周期および時間領域のリソースオフセットは、無線フレーム、サブフレーム、タイムスロット、またはミニスロットを単位とする場合、特定の固定サブキャリア間隔での無線フレーム、サブフレーム、タイムスロット、またはミニスロットを単位とすることができ、現在のサブキャリア間隔での無線フレーム、サブフレーム、タイムスロット、またはミニタイムスロットを単位とすることもできる。
【００７２】
選択的に、前記周期および時間領域リソースオフセットは、絶対時間単位であってもよく、例えば、ｍｓを単位とする周期であってもよい。
【００７３】
選択的に、前記時間領域リソース構成情報は、前記周期および時間領域リソースオフセットの値を搬送することを直接に指示することができる。即ち、時間領域リソース構成情報は、参照信号リソースの周期および時間領域リソースオフセットの値を直接に搬送する。
【００７４】
選択的に、端末は、受信した前記時間領域リソース構成情報、および第１サブキャリア間隔に従って、前記周期および前記時間領域リソースオフセットを決定し、ここで、前記第一サブキャリア間隔は、前記参照信号リソースが位置する帯域幅部分（ＢＷＰ：ＢａｎｄＷｉｄｔｈ  Ｐａｒｔ）で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔である。
【００７５】
選択的に、前記端末は、前記参照信号リソースで参照信号を伝送するために使用されるサブキャリア間隔に従って、少なくとも１つのマッピング関係テーブルから、使用されるマッピング関係テーブルを決定し、前記マッピング関係テーブルは、少なくとも１つの時間領域リソース構成情報と、少なくとも１つの周期および少なくとも１つの時間領域リソースオフセットとの間の対応関係を表すために使用され、前記端末は、受信した前記時間領域リソース構成情報に従って、決定された前記マッピング関係テーブルから、使用される前記周期と前記時間領域リソースオフセットを決定する。
【００７６】
選択的に、前記少なくとも１つのマッピング関係テーブルは、端末にプリセットされてもよく、またはネットワーク機器によって端末に構成されてもよい。
【００７７】
例えば、１５ｋＨｚ、３０Ｋｈｚ、６０ｋＨｚ、１２０ｋＨｚの４つの異なるサブキャリア間隔にそれぞれ対応する４つのマッピング関係テーブルがある。端末は、第１サブキャリア間隔に従って、使用されるテーブルを決定することができる。
【００７８】
ここで、１５ｋＨｚ、３０Ｋｈｚ、６０ｋＨｚ、１２０ｋＨｚの４つの異なるサブキャリア間隔にそれぞれ対応するマッピング関係テーブルは、以下の表１−４示されたようであり得る。
【００７９】
【表１】
2021502727.tif 000003
【００８０】
【表２】
2021502727.tif 000004
【００８１】
【表３】
2021502727.tif 000005
【００８２】
【表４】
2021502727.tif 000006
【００８３】
選択的に、異なるサブキャリア間隔に対応するマッピング関係テーブルは、ネスト構造を持つ場合がある。例えば、Ｎ＊１５ｋＨｚのサブキャリア間隔に対応するマッピング関係テーブルには、Ｍ＊１５ｋＨｚのサブキャリア間隔に対応するマッピング関係テーブルの内容が含まれ、ここで、Ｎ＞Ｍである。
【００８４】
ここで、マッピングテーブルのネスト構造は、異なるキャリア間隔に使用されるテーブルがネストされていることを意味する。
【００８５】
例えば、１２０ｋＨｚは１００行を使用し、６０ｋＨｚは１００行の上位８０行を使用し、３０ｋＨｚは１００行の上位６０行を使用する等々である。
【００８６】
選択的に、異なるサブキャリア間隔に対応するマッピング関係テーブルのサイズは異なることができる。
【００８７】
例えば、Ｎ＊１５ｋＨｚのサブキャリア間隔に対応するマッピング関係テーブルの行数は、１５ｋＨｚのサブキャリア間隔に対応するマッピング関係テーブルの行数のＮ倍である。
【００８８】
選択的に、異なるサブキャリア間隔に対応するマッピング関係テーブルに含まれる周期の最大値と最小値は異なることができる。
【００８９】
例えば、Ｎ＊１５ｋＨｚのサブキャリア間隔に対応するマッピング関係テーブルの最大周期値は、１５ｋＨｚのサブキャリア間隔に対応するマッピング関係テーブルの最大周期値のＮ倍である。
【００９０】
例えば、Ｎ＊１５ｋＨｚのサブキャリア間隔に対応するマッピング関係テーブルの最小周期値は、１５ｋＨｚのサブキャリア間隔に対応するマッピング関係テーブルの最小周期値のＮ倍である。
【００９１】
上記のように、周期および時間領域リソースオフセットは、サブキャリア間隔を使用してマッピング関係テーブルを決定することによって決定されるが、サブキャリア間隔を使用しても他の方式で取得し得ることを理解されたい。例えば、サブキャリア間隔および時間領域リソース構成情報を式に組み込むことにより、周期と時間領域リソースオフセットを取得し得る。
【００９２】
ステップ２３０において、前記端末は、前記周期および前記時間領域リソースオフセットに従って、ターゲットの第１時間領域リソースユニットを決定する。
【００９３】
選択的に、第１時間領域リソースユニットは、無線フレーム、サブフレーム、またはタイムスロットである。
【００９４】
選択的に、前記端末は、前記周期および時間領域リソースオフセット、および第１サブキャリア間隔に従って、前記ターゲットの第１時間領域リソースユニットを決定する。ここで、前記第１サブキャリア間隔は、前記参照信号リソースが位置する帯域幅部分（ＢＷＰ：ＢａｎｄＷｉｄｔｈ  Ｐａｒｔ）で信号を伝送するために使用されるサブキャリア間隔であり、または前記ＳＲＳリソースに対して構成されたサブキャリア間隔であり、または前記端末が前記参照信号リソースで参照信号を受信または送信するように構成されるサブキャリア間隔である。
【００９５】
選択的に、前記端末は、前記周期、および前記第１サブキャリア間隔に従って、単一の周期に含まれる第１時間領域リソースユニットの数Ｎを決定し、前記数Ｎ、および前記時間領域リソースオフセットに従って、前記ターゲットの第１時間領域リソースユニットを決定する。
【００９６】
具体的に、決定された周期を、第１キャリア間隔を利用して、前記第１キャリア間隔での単一の周期に含まれる第１時間領域リソースユニットの数Ｎに変換することができる。
【００９７】
例えば、前記周期はＰミリ秒であり、前記サブキャリア間隔はＮ  ｋＨｚである場合、１つの周期に含まれる第１時間領域リソースユニットの数はＰ＊Ｎ／１５である。
【００９８】
例えば、決定された周期の３０ＫＨｚでの時間ユニットの数はＭであり、第１サブキャリア間隔が１５ＫＨｚである場合、３０ＫＨｚでのＭ個の時間ユニットは、１５ｋＨｚではＭ／２個の時間ユニットである。
【００９９】
選択的に、前記端末は、前記時間領域リソースオフセット、および前記サブキャリア間隔に従って、前記サブキャリア間隔に対応する時間領域リソースオフセットを決定し、前記端末は、前記サブキャリア間隔に対応する時間領域リソースオフセット、および前記周期に従って、前記ターゲットの第１時間領域リソースユニットを決定する。
【０１００】
例えば、前記時間領域リソースオフセットがＬミリ秒であり、前記サブキャリア間隔がＮ  ｋＨｚであると仮定すると、前記ターゲットの第１時間領域リソースユニットのインデックスは、Ｌ＊Ｎ／１５と表すことができる。
【０１０１】
例えば、前記時間領域リソースオフセットが３０ＫＨｚでの時間ユニットの数はＭであり、第１サブキャリア間隔が１５ＫＨｚである場合、３０ＫＨｚでのＭ個の時間ユニットは、１５ｋＨｚではＭ／２個の時間ユニットである。
【０１０２】
選択的に、前記時間領域リソースオフセットによって表される第１時間領域リソースユニットは、前記参照信号リソースが位置する最初の第１時間領域リソースユニットであり、端末は、前記周期を周期とすることに応じて、前記ターゲットの第１時間領域リソースユニットを決定する。
【０１０３】
例えば、第１時間領域リソースユニットはサブフレームであり、時間領域リソースオフセットはＮ個のサブフレームであり、周期はＭ個のサブフレームである場合、端末は、現在のサブフレームから始まるＮ個のサブフレームオフセットを起点とし、Ｍ個のサブフレームを周期として周期的なサブフレームを、前記参照信号リソースが位置するターゲットサブフレームとして決定する。
【０１０４】
選択的に、前記端末は、前記周期および前記時間領域リソースユニットに従って、初期ターゲットの第１時間領域リソースユニットを決定し、前記端末は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定する。
【０１０５】
一実現形態において、前記ターゲットの第１時間領域リソースユニットは、現在の周期以外の他の周期から決定される。
【０１０６】
具体的に、現在の周期によって決定された第１時間領域リソースユニットが参照信号を伝送するためのリソースを含まない場合、他の周期でターゲットの第１時間領域リソースユニットを決定し続けてもよい。
【０１０７】
一実現形態において、前記初期ターゲットの第１時間領域リソースユニットに最も近い、参照信号を伝送するためのリソースを含む第１時間領域リソースユニットを前記ターゲットの第１時間領域リソースユニットとして決定する。
【０１０８】
具体的に、現在決定された第１時間領域リソースユニットが参照信号を伝送するためのリソースを含まない場合、参照信号を伝送するためのリソースを含む、最も近い第１時間領域リソースユニットから前記ターゲット第１時間領域リソースを決定することができる。ここで、前記参照信号を伝送するためのリソースを含む、最も近い第１時間領域リソースユニットは、前記第１の時間領域リソースユニットの前のものであってもよく、前記第１時間領域リソースユニットの後の、信号伝送を行わない時間領域リソースユニットであってもよい。ここで、再決定された第１時間領域リソースユニットと、参照信号を伝送するためのリソースを含まない、決定された第１時間領域リソースユニットとは、同じ周期に属することができ、異なる周期に属することもできる。
【０１０９】
一実現形態において、前記初期ターゲットの第１時間領域リソースユニットの後に最も近い、参照信号を伝送するためのリソースを含む第１時間領域リソースユニットを前記ターゲットの第１時間領域リソースユニットとして決定する。
【０１１０】
具体的に、現在決定された第１時間領域リソースユニットが参照信号を伝送するためのリソースを含まない場合、現在決定された第１時間領域リソースユニットの後から最も近い、参照信号を伝送するためのリソースを含む第１時間領域リソースユニットを前記ターゲットの第１時間領域リソースユニットとして決定することができる。ここで、再決定された第１時間領域リソースユニットと、参照信号を伝送するためのリソースを含まない、決定された第１時間領域リソースユニットとは、同じ周期に属することができ、異なる周期に属することもできる。
【０１１１】
例えば、参照信号はＳＲＳであり、前記第１時間領域リソースユニットはタイムスロットであり、端末が前記周期および時間領域リソースオフセットに従って決定したタイムスロットは、ダウンリンクタイムスロットであり、アップリンク信号の伝送に使用されるリソースを含まない場合、端末は、前記周期内にＳＲＳリソースがないと見なしてもよく、または前記ＳＲＳリソースが前記ダウンリンクタイムスロットの後の最も近いアップリンクタイムスロットにあると見なしてもよい。
【０１１２】
本出願の実施例で言及される「初期ターゲットの第１時間領域リソースユニット」の「初期」は、決定されたターゲットの第１時間領域リソースユニットが、参照信号を伝送するためのリソースを含まない場合には、ターゲットの第１時間領域リソースユニットをさらに再決定する必要があることをより明確に説明するためだけであり、決定されたターゲットの第１時間領域リソースユニットが参照信号を伝送するためのリソースを含む場合には、「初期」という概念はなく、すなわち、本出願の実施例は、「初期」という概念に特に限定されないことを理解されたい。
【０１１３】
ステップ２４０において、前記端末は、前記ターゲットの第１時間領域リソースユニットからターゲットの第２時間領域リソースユニットを決定し、ここで、前記第１時間領域リソースユニットは、少なくとも１つの前記第２時間領域リソースユニットを含む。
【０１１４】
選択的に、前記第２時間領域リソースは、タイムスロットまたはミニタイムスロットまたは直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであり得る。
【０１１５】
選択的に、第１時間領域リソースユニットがサブフレームである場合、第２時間領域リソースユニットは、タイムスロット、ミニタイムスロット、またはサブフレームであり得る。
【０１１６】
選択的に、第１時間領域リソースユニットがタイムスロットまたはミニタイムスロットである場合、前記第２時間領域リソースユニットは、ＯＦＤＭシンボルであり得る。
【０１１７】
選択的に、前記端末は、前記参照信号リソースで参照信号を伝送するために使用されるサブキャリア間隔に従って、前記第１時間領域リソースユニットに含まれる第２時間領域リソースユニットの数を決定し、前記数に従って前記ターゲットの第２時間領域リソースユニットを決定する。
【０１１８】
選択的に、前記参照信号リソースで参照信号を伝送するために使用されるサブキャリア間隔がＮ  ｋＨｚである場合、Ｎ／１５によって得られた値を前記第１時間領域リソースユニットに含まれる第２時間領域リソースユニットの数として決定する。
【０１１９】
選択的に、端末は、ネットワーク側によって指示される第２時間領域リソースユニット構成情報に従って、ターゲットの第１時間領域リソースユニットから前記ターゲットの第２時間領域リソースユニットを決定する。
【０１２０】
具体的に、ネットワーク側は、端末の前記ターゲットの第１時間領域リソースユニット内の、参照信号を伝送するために使用されるターゲットの第２時間領域リソースユニットのインデックスを構成することができる。
【０１２１】
選択的に、前記端末は、プリセットのルールに従って、ターゲットの第１時間領域リソースユニットからターゲットの第２時間領域リソースユニットを決定する。
【０１２２】
一実現形態において、前記端末は、前記ターゲットの第１時間領域リソースユニットにおいて参照信号を伝送するためのリソースを含む最初の第２時間領域リソースユニットを前記ターゲットの第２時間領域リソースユニットとして決定する。
【０１２３】
一実現形態において、前記端末は、前記参照信号リソースのリソース識別子ＩＤ（ＩＤ：Ｉｄｅｎｔｉｆｉｅｒ）または前記参照信号リソースが位置するリソースグループのグループＩＤに従って、前記ターゲットの第１時間領域リソースユニットからターゲットの第２時間領域リソースユニットを決定する。
【０１２４】
例えば、前記リソースＩＤまたはグループＩＤがＮであり、前記第１時間領域リソースユニットに含まれる第２時間領域リソースユニットの数がＫである場合、前記ターゲットの第２時間領域リソースユニットのインデックスは、Ｌ＝Ｎ  ｍｏｄ  Ｋとして表されることができる。
【０１２５】
選択的に、端末は、ネットワーク側の他の構成情報と組み合わせて、前記数に従って、前記参照信号リソースが位置するターゲットの第２時間領域リソースユニットを決定することができる。例えば、上位層シグナリングを介してネットワーク側によって追加的に構成された第２時間領域リソースユニットのインデックス情報と組み合わせて前記数に従って、ターゲットの第２時間領域リソースユニットを決定する。
【０１２６】
または、端末は、前記数、およびプリセットのルールに従って、ターゲットの第１時間領域リソースユニットからターゲットの第２時間領域リソースユニットを決定することができる。
【０１２７】
選択的に、ターゲットの第１時間領域リソースユニットから初期ターゲットの第２時間領域リソースユニットを決定し、初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定する。
【０１２８】
一実施形態において、前記初期ターゲットの第２時間領域リソースユニットに最も近い、参照信号を伝送するためのリソースを含む第２時間領域リソースユニットを前記ターゲットの第２時間領域リソースユニットとして決定する。
【０１２９】
具体的に、現在決定された第２時間領域リソースユニットが参照信号を伝送するためのリソースを含まない場合、参照信号を伝送するためのリソースを含む、最も近い第２時間領域リソースユニットを、前記ターゲット第２時間領域リソースとして決定することができる。ここで、前記参照信号を伝送するためのリソースを含む、最も近い第２時間領域リソースユニットは、前記第２の時間領域リソースユニットの前のものであってもよく、前記第２時間領域リソースユニットの後の、信号伝送を行わない時間領域リソースユニットであってもよい。ここで、再決定された第２時間領域リソースユニットと、参照信号を伝送するためのリソースを含まない、決定された第２時間領域リソースユニットとは、同じ第１時間領域リソースニットに属することができる。
【０１３０】
一実施形態において、前記初期ターゲットの第２時間領域リソースニットの後に最も近い、参照信号を伝送するためのリソースを含む第２時間領域リソースユニットを前記ターゲットの第２時間領域リソースユニットとして決定する。
【０１３１】
具体的に、現在決定された第２時間領域リソースユニットが参照信号を伝送するためのリソースを含まない場合、参照信号を伝送するためのリソースを含む、最も近い第２時間領域リソースユニットを前記ターゲットの第１時間領域リソースユニットとして決定することができる。ここで、再決定された第２時間領域リソースユニットと、参照信号を伝送するためのリソースを含まない、決定された第２時間領域リソースユニットは、同じ第１時間領域リソースユニットに属することができる。
【０１３２】
選択的に、前記端末は、現在の周期によって決定されたターゲットの第１時間領域リソースユニットで決定したターゲットの第２時間領域リソースユニットが参照信号を伝送するためのリソースを含まない場合、他の前記周期によって決定されたターゲットの第１時間領域リソースユニットからターゲットの第２時間領域リソースユニットを決定する。
【０１３３】
具体的に、現在の周期によって決定された第２時間領域リソースユニットが参照信号を伝送するためのリソースを含まない場合、他の周期でターゲットの第１時間領域リソースユニットを決定し続けてもよく、さらに、ターゲットの第２時間領域リソースユニットを決定する。即ち、ターゲットの第１時間領域リソースユニットに含まれる他の第２時間領域リソースユニットが参照信号を伝送するためのリソースを含むかどうかに関係なく、現在の周期では参照信号を受信または送信を実行しない。
【０１３４】
ステップ２５０において、前記端末は、前記ターゲットの第２時間領域リソースユニット内の参照信号リソースで参照信号を伝送し、または、前記端末は、前記ターゲットの第２時間領域リソースユニット内の参照信号リソースでレートマッチングまたはパンクチャリング処理を実行する。
【０１３５】
選択的に、参照信号がＳＲＳである場合、信号に対するレートマッチングまたはパンクチャリング処理は、アップリンク信号に対するレートマッチングまたはパンクチャリング処理であり得る。
【０１３６】
ここで、アップリンク信号が非ＳＲＳのアップリンク信号（例えば、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ））である場合、レートマッチングが実行され得る。
【０１３７】
または、アップリンク信号がＳＲＳである場合、パンクチャリング処理が実行され得る。
【０１３８】
選択的に、参照信号がＣＳＩ−ＲＳである場合、信号に対するレートマッチングまたはパンクチャリング処理は、ダウンリンク信号に対するレートマッチングまたはパンクチャリング処理であり得る。
【０１３９】
ここで、ダウンリンク信号が非ＣＳＩ−ＲＳのダウンリンク信号（例えば、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ））である場合、レートマッチングが実行され得る。
【０１４０】
または、ダウンリンク信号がＣＳＩ−ＲＳである場合、パンクチャリング処理が実行され得る。
【０１４１】
選択的に、上記した第１サブキャリア間隔は、前記参照信号リソースが位置する帯域幅部分で信号を伝送するために使用されるサブキャリア間隔であり、または前記端末が前記参照信号リソースで参照信号を受信または送信するように構成されるサブキャリア間隔である場合、前記端末は、前記ターゲットの第２時間領域リソースユニット内の参照信号リソースで参照信号を伝送する。
【０１４２】
選択的に、上記した第１サブキャリア間隔は、前記参照信号リソースに対して構成されたサブキャリア間隔である場合、前記ターゲットの第２時間領域リソースユニット内の参照信号リソースで、信号に対してレートマッチングまたはパンクチャリング処理を実行する。
【０１４３】
選択的に、本出願の実施例で言及される参照信号リソースに対して構成されたサブキャリア間隔は、他の端末において参照信号を送信するために使用されてもよい。
【０１４４】
選択的に、時間領域以外の参照信号リソースの他のリソース（例えば、周波数領域リソースまたはシーケンス）は、ネットワーク機器によって端末に送信されるシグナリング（周波数領域リソース構成情報またはシーケンス構成情報）によって決定されることができる。
【０１４５】
したがって、本出願の実施例において、端末は、受信した時間領域リソース構成情報に従って、参照信号リソースの周期および前記参照信号リソースの時間領域リソースオフセットを決定し、前記端末は、前記周期および前記時間領域リソースオフセットに従って、ターゲットの第１時間領域リソースユニットを決定し、前記端末は、前記ターゲットの第１時間領域リソースユニットからターゲットの第２時間領域リソースユニットを決定し、前記ターゲットの第２時間領域リソースユニット内の参照信号リソースで参照信号を送信または受信し、または、前記端末は、前記ターゲットの第２時間領域リソースユニット内の参照信号リソースでパンクチャリング処理またはレートマッチングを実行する。だから、参照信号のリソースの構成の柔軟性を向上させることができ、さらに、より柔軟な通信シナリオに、例えば、マルチサブキャリア通信シナリオに参照信号の伝送を適合させることができる。
【０１４６】
図３は、本出願の実施例の無線通信の方法３００の例示的なフローチャートである。前記方法３００は、以下のコンテンツの少なくとも一部を含む。
【０１４７】
ステップ３１０において、ネットワーク機器は、参照信号リソースの周期および前記参照信号リソースの時間領域リソースオフセットを決定する。
【０１４８】
ステップ３２０において、前記ネットワーク機器は、前記参照信号リソースの時間領域リソース構成情報を端末に送信する。
【０１４９】
ステップ３３０において、前記ネットワーク機器は、前記周期および前記時間領域リソースオフセットに従って、ターゲットの第１時間領域リソースユニットを決定する。
【０１５０】
ステップ３４０において、前記ネットワーク機器は、前記ターゲットの第１時間領域リソースユニットからターゲットの第２時間領域リソースユニットを決定し、ここで、前記第１時間領域リソースユニットは、少なくとも１つの前記第２時間領域リソースユニットを含む。
【０１５１】
ステップ３５０において、前記ネットワーク機器は、前記ターゲットの第２時間領域リソースユニット内の参照信号リソースで参照信号を受信または送信し、または、前記ネットワーク機器は、前記ターゲットの第２時間領域リソースユニット内の参照信号リソースで信号に対してレートマッチングまたはパンクチャリング処理を実行する。
【０１５２】
選択的に、前記ネットワーク機器は、決定された前記周期と前記時間領域リソースオフセット、および第１サブキャリア間隔に従って、前記時間領域リソース構成情報を決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔である。
【０１５３】
選択的に、前記ネットワーク機器は、前記第１サブキャリア間隔に従って、少なくとも１つのマッピング関係テーブルから、使用されるマッピング関係テーブルを決定するように構成され、前記マッピング関係テーブルは、少なくとも１つの時間領域リソース構成情報と、少なくとも１つの周期および少なくとも１つの時間領域リソースオフセットとの間の対応関係を表すために使用され、前記ネットワーク機器は、決定された前記周期および前記時間領域リソースオフセットに従って、決定された前記マッピング関係テーブルから前記時間領域リソース構成情報を決定する。
【０１５４】
選択的に、前記ネットワーク機器は、前記周期および時間領域リソースオフセット、および第１サブキャリア間隔に従って、前記ターゲットの第１時間領域リソースユニットを決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔である。
【０１５５】
選択的に、前記ネットワーク機器は、前記周期、および前記第１サブキャリア間隔に従って、単一の周期に含まれる第１時間領域リソースユニットの数Ｎを決定し、前記数Ｎ、および前記時間領域リソースオフセットに従って、前記ターゲットの第１時間領域リソースユニットを決定する。
【０１５６】
選択的に、前記ネットワーク機器は、前記時間領域リソースオフセット、および前記第１サブキャリア間隔に従って、前記第１サブキャリア間隔に対応する時間領域リソースオフセットを決定し、前記ネットワーク機器は、前記第１サブキャリア間隔に対応する時間領域リソースオフセット、および前記周期に従って、前記ターゲットの第１時間領域リソースユニットを決定する。
【０１５７】
選択的に、前記時間領域リソースオフセットによって表される第１時間領域リソースユニットは、前記参照信号リソースが位置する最初の第１時間領域リソースユニットであり、前記ネットワーク機器は、前記周期を周期とすることに応じて、前記ターゲットの第１時間領域リソースユニットを決定する。
【０１５８】
選択的に、前記ネットワーク機器は、前記周期および前記時間領域リソースユニットに従って、初期ターゲットの第１時間領域リソースユニットを決定し、前記ネットワーク機器は、前記初期ターゲットの第１時間領域リソースユニットが参照信号を伝送するためのリソースを含まない場合、前記初期ターゲットの第１時間領域リソースユニットとは異なる前記ターゲットの第１時間領域リソースユニットを決定する。
【０１５９】
選択的に、現在の周期以外の他の周期から前記ターゲットの第１時間領域リソースユニットを決定し、または、
前記初期ターゲットの第１時間領域リソースユニットに最も近い、参照信号を伝送するためのリソースを含む第１時間領域リソースユニットを前記ターゲットの第１時間領域リソースユニットとして決定し、または、
前記初期ターゲットの第１時間領域リソースユニットの後に最も近い、参照信号を伝送するためのリソースを含む第１時間領域リソースユニットを前記ターゲットの第１時間領域リソースユニットとして決定する。
【０１６０】
選択的に、前記ネットワーク機器は、第１サブキャリア間隔に従って、前記第１時間領域リソースユニットに含まれる第２時間領域リソースユニットの数を決定し、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するように構成されるサブキャリア間隔であり、
前記数に従って、前記ターゲットの第２時間領域リソースユニットを決定する。
【０１６１】
選択的に、前記第１サブキャリア間隔がＮ  ｋＨｚである場合、Ｎ／１５によって得られた値を前記第１時間領域リソースユニットに含まれる第２時間領域リソースユニットの数として決定する。
【０１６２】
選択的に、ネットワーク機器は、ネットワーク側によって指示される第２時間領域リソースユニット構成情報に従って、ターゲットの第１時間領域リソースユニットから前記ターゲットの第２時間領域リソースユニットを決定する。
【０１６３】
選択的に、前記ネットワーク機器は、プリセットのルールに従って、ターゲットの第１時間領域リソースユニットからターゲットの第２時間領域リソースユニットを決定する。
【０１６４】
選択的に、前記ネットワーク機器は、前記ターゲットの第１時間領域リソースユニットにおいて参照信号を伝送するためのリソースを含む最初の第２時間領域リソースユニットを前記ターゲットの第２時間領域リソースユニットとして決定する。
【０１６５】
選択的に、前記ネットワーク機器は、前記参照信号リソースのリソース識別子ＩＤまたは前記参照信号リソースが位置するリソースグループのグループＩＤに従って、前記ターゲットの第１時間領域リソースユニットからターゲットの第２時間領域リソースユニットを決定する。
【０１６６】
選択的に、ターゲットの第１時間領域リソースユニットから初期ターゲットの第２時間領域リソースユニットを決定し、初期ターゲットの第２時間領域リソースユニットが参照信号を伝送するためのリソースを含まない場合、前記ターゲットの第１時間領域リソースユニットから、前記初期ターゲットの第２時間領域リソースユニットとは異なるターゲットの第２時間領域リソースユニットを決定する。
【０１６７】
選択的に、前記初期ターゲットの第２時間領域リソースユニットに最も近い、参照信号を伝送するためのリソースを含む第２時間領域リソースユニットを前記ターゲットの第２時間領域リソースユニットとして決定し、または、前記初期ターゲットの第２時間領域リソースニットの後に最も近い、参照信号を伝送するためのリソースを含む第２時間領域リソースユニットを前記ターゲットの第２時間領域リソースユニットとして決定する。
【０１６８】
選択的に、現在の周期によって決定されたターゲットの第１時間領域リソースユニットで決定したターゲットの第２時間領域リソースユニットが参照信号を伝送するためのリソースを含まない場合、他の前記周期にって決定されたターゲットの第１時間領域リソースユニットからターゲットの第２時間領域リソースユニットを決定する。
【０１６９】
選択的に、前記ネットワーク機器は、ネットワーク機器が無線リソース制御（ＲＲＣ）シグナリングによって送信した前記時間領域リソース構成情報を受信する。
【０１７０】
選択的に、前記周期および時間領域リソースのオフセット値は、第１時間領域リソースユニットを単位とする。
【０１７１】
選択的に、前記第１時間領域リソースユニットは、サブフレームまたはタイムスロットである。
【０１７２】
選択的に、前記第２時間領域リソースは、タイムスロットまたはミニタイムスロットまたは直交周波数分割多重（ＯＦＤＭ）シンボルである。
【０１７３】
選択的に、前記参照信号は、サウンディング参照信号またはチャネル状態情報参照信号（ＣＳＩ−ＲＳ）である。
【０１７４】
方法３００は、方法２００の説明を参照してもよく、例えば、様々な用語の説明、およびネットワーク機器がターゲットの第１時間領域リソースユニットおよびターゲットの第２時間領域リソースユニットを決定する方法は、端末がターゲットの第１時間領域リソースユニットおよびターゲットの第２時間領域リソースユニットを決定する方法を参照してもよく、簡潔にするために、ここでは繰り返さないことを理解されたい。
【０１７５】
したがって、本出願の実施例において、ネットワーク機器は、参照信号リソースの周期および前記参照信号リソースの時間領域リソースオフセットを決定し、前記ネットワーク機器は、前記参照信号リソースの時間領域リソース構成情報を端末に送信し、前記ネットワーク機器は、前記周期および前記時間領域リソースオフセットに従って、ターゲットの第１時間領域リソースユニットを決定し、前記ネットワーク機器は、前記ターゲットの第１時間領域リソースユニットからターゲットの第２時間領域リソースユニットを決定し、ここで、前記第１時間領域リソースユニットは少なくとも１つの前記第２時間領域リソースユニットを含む。前記ネットワーク機器は、前記ターゲットの第２時間領域リソースユニット内の参照信号リソースで参照信号を受信または送信し、または、前記ネットワーク機器は、前記ターゲットの第２時間領域リソースユニット内の参照信号リソースで信号に対してレートマッチングまたはパンクチャリング処理を実行する。だから、参照信号のリソースの構成の柔軟性を向上させることができ、さらに、より柔軟な通信シナリオに参照信号の伝送を適合させることができる。
【０１７６】
図４は、本出願の実施例の端末４００の例示的なブロック図である。図４に示されるように、前記端末４００は通信ユニット４１０および処理ユニット４２０を含む。
【０１７７】
前記通信ユニット４１０は、参照信号リソースの時間領域リソース構成情報を受信するように構成され、前記処理ユニット４２０は、受信した前記時間領域リソース構成情報に従って、前記参照信号リソースの周期および前記参照信号リソースの時間領域リソースオフセットを決定し、前記周期および前記時間領域リソースオフセットに従って、ターゲットの第１時間領域リソースユニットを決定し、前記ターゲットの第１時間領域リソースユニットからターゲットの第２時間領域リソースユニットを決定するように構成され、ここで、前記第１時間領域リソースユニットは少なくとも１つの前記第２時間領域リソースユニットを含む。前記通信ユニット４１０は、さらに、前記ターゲットの第２時間領域リソースユニット内の参照信号リソースで前記端末が参照信号を送信または受信するように構成され、または、前記処理ユニット４２０は、さらに、前記ターゲットの第２時間領域リソースユニット内の参照信号リソースでパンクチャリング処理またはレートマッチングを実行するように構成される。
【０１７８】
前記端末４００は、方法２００の端末に対応し、前記方法２００の端末によって実現される対応する機能を実現することができ、簡潔にするために、ここでは繰り返さないことを理解されたい。
【０１７９】
図５は、本出願の実施例のネットワーク機器５００の例示的なブロック図である。図５に示されるように、前記ネットワーク機器５００は、通信ユニット５１０および処理ユニット５２０を含む。
【０１８０】
前記処理ユニット５２０は、参照信号リソースの周期および前記参照信号の時間領域リソースオフセットを決定するように構成され、前記通信ユニット５１０は、前記参照信号リソースの時間領域リソース構成情報を端末に送信するように構成される。前記処理ユニット５２０は、さらに、前記周期および前記時間領域リソースオフセットに従って、ターゲットの第１時間領域リソースユニットを決定し、前記ターゲットの第１時間領域リソースユニットからターゲットの第２時間領域リソースユニットを決定するように構成され、ここで、前記第１時間領域リソースユニットは少なくとも１つの前記第２時間領域リソースユニットを含む。前記通信ユニット５１０は、さらに、前記ターゲットの第２時間領域リソースユニット内の参照信号リソースで参照信号を受信または送信するように構成され、または、前記処理ユニット５２０は、さらに、前記ターゲットの第２時間領域リソースユニット内の参照信号リソースで信号に対してレートマッチングまたはパンクチャリング処理を実行するように構成される。
【０１８１】
前記ネットワーク機器５００は、方法３００のネットワーク機器に対応して、前記方法３００のネットワーク機器によって実現される対応する機能を実現することができ、簡潔にするために、ここでは繰り返さないことを理解されたい。
【０１８２】
図６は、本出願の実施例のシステムチップ６００の例示的なブロック図である。図６のシステムチップ６００は、入力インターフェース６０１、出力インターフェース６０２、プロセッサ６０３、およびメモリ６０４を含み、前記プロセッサ６０３と前記メモリ６０４は、内部通信接続線を介して接続されてもよく、前記プロセッサ６０３は、前記メモリ６０４内のコードを実行するように構成される。
【０１８３】
選択的に、前記コードが実行されると、前記プロセッサ６０３は、方法実施例においてネットワーク機器によって実行される方法を実現し、簡潔にするために、ここでは繰り返さない。
【０１８４】
選択的に、前記コードが実行されると、前記プロセッサ６０３は、方法実施例において端末によって実行される方法を実現し、簡潔にするために、ここでは繰り返さない。
【０１８５】
図７は、本出願の実施例の通信機器７００の例示的なブロック図である。図７に示されるように、前記通信機器７００は、プロセッサ７１０およびメモリ７２０を含む。ここで、前記メモリ７２０は、プログラムコードを記憶してもよく、前記プロセッサ７１０は、前記メモリ７２０に記憶されたプログラムコードを実行してもよい。
【０１８６】
選択的に、図７に示されるように、前記通信機器７００はトランシーバ７３０を含むことができ、プロセッサ７１０は、トランシーバ７３０の外部通信を制御することができる。
【０１８７】
選択的に、前記プロセッサ７１０は、メモリ７２０に記憶されたプログラムコードを呼び出して、方法実施例におけるネットワーク機器の対応する動作を実行してもよく、簡潔にするために、ここでは繰り返さない。
【０１８８】
選択的に、前記プロセッサ７１０は、メモリ７２０に記憶されたプログラムコードを呼び出して、方法実施例における端末の対応する動作を実行してもよく、簡潔にするために、ここでは繰り返さない。
【０１８９】
本出願の実施例におけるプロセッサは、信号の処理能力を備えた集積回路チップであり得ることを理解されたい。実現プロセスにおいて、上記の方法実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアコンポーネントなどであってもよい。本出願の実施例で開示された各方法、ステップおよび論理ブロック図を実現または実行できる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０１９０】
本出願の実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：ｒａｎｄｏｍ  ａｃｃｅｓｓ  ｍｅｍｏｒｙ）であってもよい。前記メモリは、例示的であるが制限的ではない説明を通じて、例えば、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等、多くの形のＲＡＭが利用可能である。本明細書で説明されるシステムおよび方法のメモリは、これらおよび任意の他の適切なタイプのメモリを含むことが意図されているが、これらに限定されないことに留意されたい。
【０１９１】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることが理解できるだろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１９２】
説明の便宜および簡潔のために、上記に説明されたシステム、装置およびユニットの具体的な作業プロセスは、前述の方法実施例中の対応するプロセスを参照することができ、ここでは繰り返さないことを当業者は明確に理解することができる。
【０１９３】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェース、装置またはユニットを介した間接結合または通信接続であり得、電気的、機械的または他の形態であり得る。
【０１９４】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本実施例の技術案の目的を実現することができる。
【０１９５】
なお、本出願の各実施例における各機能ユニットは１つの処理ユニットに統合されてもよく、または各ユニットが物理的に別々に存在してもよく、２つまたは２つ以上のユニットを１つのユニットに統合してもよい。
【０１９６】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１９７】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021502727.tif 000007
【図２】
2021502727.tif 000008
【図３】
2021502727.tif 000009
【図４】
2021502727.tif 000010
【図５】
2021502727.tif 000011
【図６】
2021502727.tif 000012
【図７】
2021502727.tif 000013
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
無線通信の方法であって、
端末は、参照信号リソースの時間領域リソース構成情報を受信することと、
前記端末は、受信した前記時間領域リソース構成情報に従って、前記参照信号リソースの周期および前記参照信号リソースの時間領域リソースオフセットを決定することと、
前記端末は、前記周期および前記時間領域リソースオフセットに従って、少なくとも１つのターゲットの第１時間領域リソースユニットを決定することと、
前記端末は、少なくとも１つの前記ターゲットの第１時間領域リソースユニットから少なくとも１つのターゲットの第２時間領域リソースユニットを決定することであって、前記第１時間領域リソースユニットは、少なくとも１つの前記ターゲットの第１時間領域リソースユニットの時間ユニットとして使用され、前記第２時間領域リソースユニットは、少なくとも１つの前記ターゲットの第２時間領域リソースユニットの時間ユニットとして使用され、前記第１時間領域リソースユニットのそれぞれは、少なくとも１つの前記第２時間領域リソースユニットを含むことと、
前記端末は、少なくとも１つの前記ターゲットの第２時間領域リソースユニット内の参照信号リソースで参照信号を受信し、または、前記端末は、少なくとも１つの前記ターゲットの第２時間領域リソースユニット内の参照信号リソースでパンクチャリング処理またはレートマッチングを実行することとを含むことを特徴とする、前記無線通信の方法。
【請求項２】
前記端末は、受信した前記時間領域リソース構成情報に従って、前記参照信号リソースの周期および前記参照信号リソースの時間領域リソースオフセットを決定することは、
前記端末は、受信した前記時間領域リソース構成情報、および第１サブキャリア間隔に従って、前記周期および前記時間領域リソースオフセットを決定することであって、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するために使用されるサブキャリア間隔であることを含むことを特徴とする、
請求項１に記載の無線通信の方法。
【請求項３】
前記端末は、前記周期および前記時間領域リソースオフセットに従って、少なくとも１つのターゲットの第１時間領域リソースユニットを決定することは、
前記端末は、前記時間領域リソースオフセットに従って、少なくとも１つのターゲットの第１時間領域リソースユニットの最初のターゲットの第１時間領域リソースユニットを決定することと、
前記端末は、前記周期および前記最初のターゲットの第１時間領域リソースユニットに従って、少なくとも１つのターゲットの第１時間領域リソースユニットの２番目のターゲットの第１時間領域リソースユニットを決定することを含むことを特徴とする、
請求項１ないし２のいずれか一項に記載の無線通信の方法。
【請求項４】
前記端末は、少なくとも１つの前記ターゲットの第１時間領域リソースユニットに従って、少なくとも１つのターゲットの第２時間領域リソースユニットを決定することは、
前記端末は、ネットワーク側によって指示される第２時間領域リソースユニット構成情報に従って、少なくとも１つのターゲットの第１時間領域リソースユニットから少なくとも１つの前記ターゲットの第２時間領域リソースユニットを決定することを含むことを特徴とする、
請求項１ないし３のいずれか一項に記載の無線通信の方法。
【請求項５】
端末は、参照信号リソースの時間領域リソース構成情報を受信することは、
前記端末は、ネットワーク機器が無線リソース制御（ＲＲＣ）シグナリングによって送信した前記時間領域リソース構成情報を受信することを含むことを特徴とする、
請求項１ないし４のいずれか一項に記載の無線通信の方法。
【請求項６】
前記周期および時間領域リソースのオフセット値は、第１時間領域リソースユニットを時間単位とし、および／または、
前記第１時間領域リソースユニットは、サブフレームまたはタイムスロットであることを特徴とする、
請求項１ないし５のいずれか一項に記載の無線通信の方法。
【請求項７】
前記第２時間領域リソースは、タイムスロットまたはミニタイムスロットまたは直交周波数分割多重（ＯＦＤＭ）シンボルであることを特徴とする、
請求項１ないし６のいずれか一項に記載の無線通信の方法。
【請求項８】
前記参照信号は、サウンディング参照信号またはチャネル状態情報参照信号（ＣＳＩ−ＲＳ）であることを特徴とする、
請求項１ないし７のいずれか一項に記載の無線通信の方法。
【請求項９】
端末であって、
通信ユニットおよび処理ユニットを含み、
前記通信ユニットは、参照信号リソースの時間領域リソース構成情報を受信するように構成され、
前記処理ユニットは、受信した前記時間領域リソース構成情報に従って、前記参照信号リソースの周期および前記参照信号リソースの時間領域リソースオフセットを決定し、前記周期および前記時間領域リソースオフセットに従って、少なくとも１つのターゲットの第１時間領域リソースユニットを決定し、少なくとも１つの前記ターゲットの第１時間領域リソースユニットから少なくとも１つのターゲットの第２時間領域リソースユニットを決定するように構成され、前記第１時間領域リソースユニットは、少なくとも１つの前記ターゲットの第１時間領域リソースユニットの時間ユニットとして使用され、前記第２時間領域リソースユニットは、少なくとも１つの前記ターゲットの第２時間領域リソースユニットの時間ユニットとして使用され、前記第１時間領域リソースユニットのそれぞれは、少なくとも１つの前記第２時間領域リソースユニットを含み、
前記通信ユニットは、さらに、前記端末が少なくとも１つの前記ターゲットの第２時間領域リソースユニット内の参照信号リソースで参照信号を送信または受信するように構成され、または、前記処理ユニットは、さらに、少なくとも１つの前記ターゲットの第２時間領域リソースユニット内の参照信号リソースでパンクチャリング処理またはレートマッチングを実行するように構成されることを特徴とする、前記端末。
【請求項１０】
前記処理ユニットは、さらに、
受信した前記時間領域リソース構成情報、および第１サブキャリア間隔に従って、前記周期および前記時間領域リソースオフセットを決定するように構成され、前記第１サブキャリア間隔は、前記参照信号リソースが位置する帯域幅部分で信号を伝送するために使用されるサブキャリア間隔であり、または前記参照信号リソースに対して構成されたサブキャリア間隔であり、または前記端末が前記参照信号リソースで参照信号を受信または送信するために使用されるサブキャリア間隔であることを特徴とする、
請求項９に記載の端末。
【請求項１１】
前記処理ユニットは、さらに、
前記時間領域リソースオフセットに従って、少なくとも１つのターゲットの第１時間領域リソースユニットの最初のターゲットの第１時間領域リソースユニットを決定し、
前記周期および前記最初のターゲットの第１時間領域リソースユニットに従って、少なくとも１つのターゲットの第１時間領域リソースユニットの２番目のターゲットの第１時間領域リソースユニットを決定するように構成されることを特徴とする、
請求項９ないし１０のいずれか一項に記載の端末。
【請求項１２】
前記処理ユニットは、さらに、
ネットワーク側によって指示される第２時間領域リソースユニット構成情報に従って、少なくとも１つのターゲットの第１時間領域リソースユニットから少なくとも１つの前記ターゲットの第２時間領域リソースユニットを決定するように構成されることを特徴とする、
請求項９ないし１１のいずれか一項に記載の端末。
【請求項１３】
前記処理ユニットは、さらに、
ネットワーク機器が無線リソース制御（ＲＲＣ）シグナリングによって送信した前記時間領域リソース構成情報を受信するように構成されることを特徴とする、
請求項９ないし１２のいずれか一項に記載の端末。
【請求項１４】
前記周期および時間領域リソースのオフセット値は、第１時間領域リソースユニットを時間単位とし、および／または、
前記第１時間領域リソースユニットは、サブフレームまたはタイムスロットであり、および／または、
前記第２時間領域リソースは、タイムスロットまたはミニタイムスロットまたは直交周波数分割多重（ＯＦＤＭ）シンボルであることを特徴とする、
請求項９ないし１３のいずれか一項に記載の端末。
【請求項１５】
前記参照信号は、サウンディング参照信号またはチャネル状態情報参照信号（ＣＳＩ−ＲＳ）であることを特徴とする、
請求項９ないし１４のいずれか一項に記載の端末。
【国際調査報告】
2021502727.tif 000014
2021502727.tif 000015
2021502727.tif 000016
2021502727.tif 000017
2021502727.tif 000018